(57)【要約】      （修正有）【課題】包帯としても使用可能な布製の身の回り品を提供する。【解決手段】(a)１枚の四角形の布地２からなること、(b)少なくともその一端部３に間隔をおいて複数の切欠き５を設けたこと、(c)切欠き５の延長直線６の布地強度を下げて裂けやすくしたこと、(d)裂いた後の各切断片が包帯として使用可能であること、を特徴とする布製の身の回り品である。布製身の回り品は、例えばタオル、手ぬぐい、ハンカチ、ナプキン、卓上敷物、壁掛け、ふくさ、風呂敷、タオルケット、敷布のいずれかである。【選択図】図１
2015119820.tif 000002
【特許請求の範囲】
【請求項１】
(a)１枚の四角形の布地からなること、
(b)少なくともその一端部に間隔をおいて複数の切欠き（５）を設けたこと、
(c)切欠き（５）の延長直線（６）の布地強度を下げて裂けやすくしたこと、
(d)裂いた後の各切断片が包帯として使用可能であること、
を特徴とする布製の身の回り品。
【請求項２】
切欠き（５）の延長直線（６）の布地強度を下げるために、織り上げるときにバイオ加工した糸を使用する方法、織り上げるときにその部分で糸を抜く方法、ミシン目のように断続する小孔を多数設ける方法のいずれかの方法を施した請求項１記載の布製身の回り品。
【請求項３】
竹を原料とするセルロース系再生繊維を前記布地に使用して抗菌効果を持たせた請求項１又は２に記載の布製身の回り品。
【請求項４】
タオル、手ぬぐい、ハンカチ、ナプキン、卓上敷物、壁掛け、ふくさ、風呂敷、タオルケット、敷布のいずれかである請求項１〜３のいずれかに記載の布製身の回り品。
【発明の詳細な説明】
【技術分野】
【０００１】
本発明は布製の身の回り品に関する。本明細書において「布製の身の回り品」とは一枚の布地で形成された日用品の総称であり、少なくとも「タオル、手ぬぐい、ハンカチ、ナプキン、卓上敷物、壁掛け、ふくさ、風呂敷、タオルケット、敷布」を含む。以下、タオルを例にして説明する。
【背景技術】
【０００２】
例えばタオルに関して、実開平６―４８４９５号は、「足の指の間を効率的に洗えて、水虫の防止に有効な浴用タオルを得る」と共に「１枚のタオルでありながら硬さが異なる浴用タオルを得る」ことを目的としたタオルを提案している。その目的のために、「タオル本体１の長手方向の一端部２に、これの幅方向の数箇所に間隔を置いて足の指の厚みより長いスリット３」を形成する。「各スリット３に足の指４を入れて、タオル本体１の中央側と一端側を両手で持ち、長手方向に動かすこと」により、「複数の指４の間や側面を同時にこすることができ、使い勝手が良くて水虫対策に有用である」とされている。
【先行技術文献】
【特許文献】
【０００３】
【特許文献１】実開平６―４８４９５号
【発明の概要】
【発明が解決しようとする課題】
【０００４】
上記実開平６―４８４９５号のタオルによれば、長手方向の一端部に複数のスリットが設けられている。目的は水虫の防止であるから、スリットは裂けやすいものであってはならない。同公報に「各スリット３の周縁を開拡状態でほつれないようにかがり縫いする」とあるとおりである。
【０００５】
本発明は、包帯としても使用可能な布製の身の回り品を提供することを目的とする。そのために、実開平６―４８４９５号のタオルと同様に複数の切欠き（スリット）を設けるが、実開平６―４８４９５号とは逆に切欠き（スリット）は裂けやすくしている。
【課題を解決するための手段】
【０００６】
本発明の布製の身の回り品は、(a)１枚の四角形の布地からなること、(b)少なくともその一端部に間隔をおいて複数の切欠きを設けること、(c)切欠きの延長直線の布地強度を下げて裂けやすくしたこと、(d)裂いた後の各切断片が包帯として使用可能であること、を特徴とする（請求項１）。
【０００７】
上記発明において、四角形は長方形又は正方形である。布地は衛生的なものであれば材質を問わない。一般には綿織物、絹織物、合成繊維織物などである。パイル生地としてもよいし、シャーリング加工したものでもよい。
【０００８】
切欠きの本数は布地の大きさにもよるが、最終使用目的の包帯の幅が目安となる。
【０００９】
切欠きの延長直線の布地強度を下げる方法としては、織り上げるときにバイオ加工した糸を使用する方法、織り上げるときにその部分で糸を抜く方法、ミシン目のように断続する小孔を多数設ける方法がある（請求項２）。その内の「バイオ加工」は、酵素を用いた繊維の加工であり、例えば、セルラーゼ酵素により、綿、麻、レーヨン、テンセル等の天然素材を天然の力（バイオパワー）で美しく仕上げる繊維改質加工法である。
【００１０】
好ましくは、竹を原料とするセルロース系再生繊維を前記布地に使用して抗菌効果を持たせる（請求項３）。そのような布地は、例えば特開２００４―３６０１６３（東レ（株））によって公知である。その他、一般的な抗菌加工を使用することができる。例えば、従来公知の抗菌剤（例えば、各種有機シリコーン系第４級アンモニウム塩、アルキルリン酸エステルの第４級アンモニウム塩、抗菌性金属イオンを有する無機系抗菌剤等）を、前記布地に、含浸、塗布、散布などの方法で付加させればよい。
【００１１】
「布製身の回り品」としては、タオル、手ぬぐい、ハンカチ、ナプキン、卓上敷物、壁掛け、ふくさ、風呂敷、タオルケット、敷布が例示される（請求項４）。
【発明の効果】
【００１２】
本発明請求項１によれば、普段は日用品として備品しておき、災害時には包帯として使用可能な布製身の回り品が得られる。
【００１３】
本発明請求項２によれば、包帯として引き裂きやすい布製身の回り品が得られる。
【００１４】
本発明請求項３によれば、抗菌作用を有する布製身の回り品が得られる。
【００１５】
以下、添付の図面を参照して本発明の実施例を説明する。
【図面の簡単な説明】
【００１６】
【図１】本発明の１実施例に係るタオルの表側（平面）図である。
【図２】同タオルの裏側（底面）図である。
【図３】同タオルを切欠きから裂いている状態の斜視図である。
【図４】図１の矢視断面図である。
【発明を実施するための形態】
【００１７】
図１〜３に示すように、本願発明の１実施例であるタオル１は、パイル地の本体２と、両端部３、４を有する。一端部３に三角形状の切欠き５が３カ所（５１，５２，５３）設けられている。
【００１８】
図1、図４に示すように、この切欠き５の延長直線６（６１，６２，６３）の布地強度を下げて裂けやすくしている。切欠きの延長直線６の布地強度を下げる方法としては、織り上げるときにバイオ加工した糸を使用した。
【００１９】
この実施例では、切欠きの延長直線６上の他端部４には切欠きを設けていないが、設けてもよい。
【００２０】
このタオル１は包帯として使用可能とするため、通常の浴用タオルよりも衛生的なものであることが好ましく、その目的のために抗菌効果を持たせている。そのために、竹を原料とするセルロース系再生繊維を前記布地に使用している。
【００２１】
このタオルの使用法は、通常の浴用や体拭き用のタオルとして使用可能なのはもちろんであるが、けがをした人に対して包帯としても使用可能である。そのためには、図３に示すように、切欠きの両側を指でつまんで力を込めて引き裂けばよい。切欠きの延長線は布地強度を下げているため、容易に裂くことができる。
【００２２】
本発明の布製身の回り品を用意しておけば、包帯を別に用意しなくても非常時に即座に対処することができる。災害対策用の備品として適当である。
【符号の説明】
【００２３】
１     タオル
２     タオル本体
３，４ 端部
５     切欠き
６     延長直線
【図１】
2015119820.tif 000003
【図２】
2015119820.tif 000004
【図３】
2015119820.tif 000005
【図４】
2015119820.tif 000006